(57)【要約】  【課題】  シャフトの回転摺動の安定化及び含浸油の飛散防止を確保しつつ、キャプスタンモータの軸受部分の部品点数を削減して、コスト及び工程数の削減を実現する磁気テープ装置を提供することである。  【解決手段】  キャプスタンモータ１０は、シャフト１１と、シャフト１１に固定されたプーリー１２及び回転子ヨーク１３と、回転子ヨーク１３に固定された永久磁石１４と、固定子ヨーク１５と、固定子ヨーク１５に固定された複数個の固定子捲線１６と、固定子ヨーク１５に固定された軸受ハウジング１７と、軸受ハウジング１７の両端に設けられシャフト１１を支承する軸受１８、１８’と、シャフト１１の外周に固定され、軸受１８との摺動面をする抜け止めワッシャー２０とを備え、抜け止めワッシャー２０は、軸受１８との摺動面に凹部を有し、軸受ハウジング１７に０．５ｍｍ以上埋設する構成とする。【選択図】      図１
0003101659.tif 000002
【実用新案登録請求の範囲】
【請求項１】
キャプスタン軸となるシャフトと、該シャフトに固定され、溝にゴムを掛けてテープ駆
動用のリール台に回転を伝達させるためのプーリーと、前記シャフトに固定された回転子
ヨークと、該回転子ヨークに固定された円環状の永久磁石と、磁性薄板で形成された固定
子ヨークと、前記永久磁石に対向するように該固定子ヨークに固定された複数個の固定子
捲線と、前記固定子ヨークに固定された軸受ハウジングと、該軸受ハウジングの両端に設
けられ前記シャフトを支承する軸受とを備えるキャプスタンモータを搭載した磁気テープ
装置において、
前記シャフトの外周に固定され、前記シャフトが突出してピンチローラに押圧される側
近傍の軸受との摺動面を有し、ポリアセタールからなる抜け止めワッシャーを備え、
前記抜け止めワッシャーは、前記軸受との摺動面に凹部を有し、前記軸受ハウジングに
０．５ｍｍ以上埋設することを特徴とする磁気テープ装置。
【請求項２】
キャプスタン軸となるシャフトと、該シャフトに固定されたプーリー及び回転子ヨーク
と、該回転子ヨークに固定された円環状の永久磁石と、磁性薄板で形成された固定子ヨー
クと、前記永久磁石に対向するように該固定子ヨークに固定された複数個の固定子捲線と
、前記固定子ヨークに固定された軸受ハウジングと、該軸受ハウジングに設けられ前記シ
ャフトを支承する複数の軸受とを備えるキャプスタンモータを搭載した磁気テープ装置に
おいて、
前記シャフトの外周に固定され、前記シャフトが突出してピンチローラに押圧される側
近傍の軸受との摺動面を有する抜け止めワッシャーを備えたことを特徴とする磁気テープ
装置。
【請求項３】
前記抜け止めワッシャーの前記軸受との摺動面に凹部を形成することを特徴とする請求
項２記載の磁気テープ装置。
【請求項４】
前記抜け止めワッシャーの一部を前記軸受ハウジングに埋設することを特徴とする請求
項２又は３記載の磁気テープ装置。
【請求項５】
前記抜け止めワッシャーはポリアセタールであることを特徴とする請求項２〜４の何れ
かに記載の磁気テープ装置。
【考案の詳細な説明】
【技術分野】
【０００１】
本考案は、磁気テープ装置に関し、詳しくは磁気テープ装置のキャプスタンモータの構
造に関するものである。
【背景技術】
【０００２】
磁気テープ装置にはテープを巻き取るキャプスタンモータが備えられている。図３は従
来のＶＴＲ用キャプスタンモータ２１の断面図、図４は図３の要部拡大図である。１１は
シャフト、１２はプーリー、１３は回転子ヨーク、１４は円環状の永久磁石、１５は磁性
薄板で形成された固定子ヨーク、１６は偏平形に形成された固定子捲線、１７は軸受ハウ
ジング１８、１８’は焼結メタルからなる含油軸受、１９はスラスト受け、２２は油切り
である。
【０００３】
固定子ヨーク１５の上に複数個の偏平形に形成された固定子捲線１６がシャフト１１を
中心に円環状に配置して固着され、固定子ヨーク１５が固定された軸受ハウジング１７に
含油軸受１８、１８’とスラスト受け１９が装着されている。そして、含油軸受１８、１
８’により支承されたシャフト１１に回転子ヨーク１３が固着され、回転子ヨーク１３に
は永久磁石１４が当接固着され、永久磁石１４は空隙を介して固定子捲線１６と対向配設
されている。また、油切り２２はシャフト１１にはめ込まれ、スラスト受け１９との面で
摺動する。
【０００４】
シャフト１１と軸受ハウジング１７の構造は、含油軸受１８、１８’により長いシャフ
ト１１が支承され、含油軸受１８の上に現れたシャフト１１をＶＴＲのキャプスタン軸と
して使用するようになっている。
【０００５】
上記の構成を含んだモータのスラスト軸受が特許文献１に開示されている。油切り２２
がシャフト１１の抜け止めの役割も果たしているので、部品点数及びコストの削減になっ
ている。
【特許文献１】特開平９−１８２３５６号公報
【考案の開示】
【考案が解決しようとする課題】
【０００６】
上記従来のキャプスタンモータは、キャプスタン軸となる長いシャフトがピンチローラ
（不図示）の押圧力で撓むのを防止するため、軸受ハウジング１７の両端に含油軸受１８
、１８’を設けて支持する構造としている。しかしながら、シャフト１１の回転摺動安定
化や含浸油の飛散防止のため構成部品が多く、コストが掛かると共に組み立て工程数の増
加の原因にもなっていた。上記の特許文献１では部品点数が１点削減されているが、それ
でも構成部品は多いといえる。
【０００７】
本考案は、シャフトの回転摺動の安定化及び含浸油の飛散防止を確保しつつ、キャプス
タンモータの軸受部分の部品点数を削減して、コスト及び工程数の削減を実現する磁気テ
ープ装置を提供することを目的とする。
【課題を解決するための手段】
【０００８】
上記目的を達成するために本考案は、キャプスタン軸となるシャフトと、該シャフトに
固定されたプーリー及び回転子ヨークと、該回転子ヨークに固定された円環状の永久磁石
と、磁性薄板で形成された固定子ヨークと、前記永久磁石に対向するように該固定子ヨー
クに固定された複数個の固定子捲線と、前記固定子ヨークに固定された軸受ハウジングと
、該軸受ハウジングに設けられ前記シャフトを支承する複数の軸受とを備えるキャプスタ
ンモータを搭載した磁気テープ装置において、前記シャフトの外周に固定され、前記シャ
フトが突出してピンチローラに押圧される側近傍の軸受との摺動面を有する抜け止めワッ
シャーを備えたことを特徴とする磁気テープ装置。
【０００９】
この構成により、この構成により、キャプスタンモータの軸受部分の部品点数を削減し
て、コスト及び工程数の削減を実現することができる。
【００１０】
なお、前記抜け止めワッシャーの前記軸受との摺動面に凹部を形成することが好ましい
。
【００１１】
この構成により、抜け止めワッシャーと軸受との摺動面積が小さくなり、摺動音を低減
できる。また、凹部に含浸油が溜まるので摩耗を低減できる。
【００１２】
また、前記抜け止めワッシャーの一部を前記軸受ハウジングに埋設することが好ましい
。
【００１３】
この構成により、抜け止めワッシャーの側面と軸受ハウジングの内面とで囲まれる空間
に含浸油を溜めることができ、シャフトの高回転時における含浸油の飛散防止効果が向上
する。
【００１４】
更に、前記抜け止めワッシャーの材料には、従来用いられていた６−ナイロンに替えて
ポリアセタールを用いることにより、耐久性を向上させることができる。
【００１５】
また本考案は、キャプスタン軸となるシャフトと、該シャフトに固定され、溝にゴムを
掛けてテープ駆動用のリール台に回転を伝達させるためのプーリーと、前記シャフトに固
定された回転子ヨークと、該回転子ヨークに固定された円環状の永久磁石と、磁性薄板で
形成された固定子ヨークと、前記永久磁石に対向するように該固定子ヨークに固定された
複数個の固定子捲線と、前記固定子ヨークに固定された軸受ハウジングと、該軸受ハウジ
ングの両端に設けられ前記シャフトを支承する軸受とを備えるキャプスタンモータを搭載
した磁気テープ装置において、前記シャフトの外周に固定され、前記シャフトが突出して
ピンチローラに押圧される側近傍の軸受との摺動面を有し、ポリアセタールからなる抜け
止めワッシャーを備え、前記抜け止めワッシャーは、前記軸受との摺動面に凹部を有し、
前記軸受ハウジングに０．５ｍｍ以上埋設することを特徴とする。
【００１６】
このように、抜け止めワッシャーを軸受ハウジングに０．５ｍｍ以上埋設することによ
り、抜け止めワッシャーの側面と軸受ハウジングの内面とで囲まれる空間に含浸油を十分
に溜めることができ、シャフトの高回転時における含浸油の飛散防止効果が向上する。
【考案の効果】
【００１７】
本考案によると、従来品のスラスト受け及び油切りの両機能を兼ね備えた抜け止めワッ
シャーを設けることにより、シャフトの回転摺動の安定化及び含浸油の飛散防止を確保し
つつ、キャプスタンモータの軸受部分の部品点数を削減して、コスト及び工程数の削減を
実現する磁気テープ装置を提供することができる。
【考案を実施するための最良の形態】
【００１８】
図１はＶＴＲ用キャプスタンモータ１０の断面図、図２は図１の要部拡大図である。図
３、図４に示した従来のキャプスタンモータと同じ構成部材には同符号を付している。キ
ャプスタンモータ１０は、キャプスタン軸となるシャフト１１と、シャフト１１に固定さ
れ、溝にゴムを掛けてテープ駆動用のリール台（不図示）に回転を伝達させるためのプー
リー１２と、シャフト１１に固定された回転子ヨーク１３と、回転子ヨーク１３に固定さ
れた円環状の永久磁石１４と、磁性薄板で形成された固定子ヨーク１５と、永久磁石１４
に対向するように固定子ヨーク１５に固定された複数個の固定子捲線１６と、固定子ヨー
ク１５に固定された軸受ハウジング１７と、軸受ハウジング１７の両端に設けられシャフ
ト１１を支承する軸受１８、１８’と、シャフト１１の外周に固定され、シャフト１１が
突出してピンチローラ（不図示）に押圧される側近傍の軸受１８との摺動面を有する抜け
止めワッシャー２０とを備える。そしてこのキャプスタンモータ１０は磁気テープ装置（
不図示）に搭載される。
【００１９】
抜け止めワッシャー２０は軸受１８との摺動面を有しており、抜け止めワッシャー２０
は軸受ハウジング１７には接触しない。もし、抜け止めワッシャー２０が軸受ハウジング
１７との摺動面を有していれば、本実施形態よりも摩擦抵抗が大きくなり、摩耗が激しく
、耐久性に不安が残ってしまう。また、消費電流や摺動音も大きくなる。
【００２０】
抜け止めワッシャー２０の軸受１８との摺動面には凹部２０ａが形成されている。この
凹部２０ａの形成位置は軸受１８との摺動面であればよく、図２のように抜け止めワッシ
ャー２０の底面の内端部に沿って形成したり、抜け止めワッシャーの底面に複数個形成し
たりすることができる。これにより、抜け止めワッシャー２０と軸受１８との摺動面積が
小さくなり、摺動音を低減できる。また、凹部２０ａに含浸油が溜まるので摩耗を低減で
きる。なお、凹部２０ａはなくても軸受としての機能は果たすことができる。
【００２１】
抜け止めワッシャー２０の一部を軸受ハウジング１７に埋設する。含浸油の飛散防止の
点から０．５ｍｍ以上埋設することが望ましい。これにより、抜け止めワッシャー２０の
側面と軸受ハウジング１７の内面とで囲まれる空間に含浸油を十分に溜めることができ、
シャフト１１の高回転時における含浸油の飛散防止効果が向上する。
【００２２】
このように、抜け止めワッシャー２０は、従来品のスラスト受け１９及び油切り２２の
両機能を兼ね備えている。従って、従来よりも部品点数を削減して、コスト及び工程数の
削減ができる。
【００２３】
なお、抜け止めワッシャー２０の材料としては、従来品の油切り２２に一般に用いられ
ていた６−ナイロンに替えて、耐久性のあるポリアセタール系材料を好適に用いることが
できる。
【００２４】
ここで、軸受１８、１８’には銅と鉄の合金等からなる焼結メタルを用いることができ
る。また、軸受ハウジング１７はポリカーボネートに繊維状ガラスを混合した材料やポリ
カーボネートに板状ガラスを混合した材料を用いることができる。
【００２５】
なお、軸受１８、１８’に用いる含浸油としては、粘度２００ｃｓｔ以上であることが
飛散防止の点から好ましい。
【産業上の利用可能性】
【００２６】
本発明の磁気テープ装置は、ビデオテープやカセットテープ等の再生装置のように、キ
ャプスタンモータを搭載する装置に利用することができる。
【図面の簡単な説明】
【００２７】
【図１】本考案のＶＴＲ用キャプスタンモータの断面図である。
【図２】図１の要部拡大図である。
【図３】従来のＶＴＲ用キャプスタンモータの断面図である。
【図４】図３の要部拡大図である。
【符号の説明】
【００２８】
１０、２１    キャプスタンモータ
１１    シャフト
１２    プーリー
１３    回転子ヨーク
１４    永久磁石
１５    固定子ヨーク
１６    固定子捲線
１７    軸受ハウジング
１８、１８’    軸受
１９    スラスト受け
２０    抜け止めワッシャー
２２    油切り
【図１】
0003101659.tif 000003
【図２】
0003101659.tif 000004
【図３】
0003101659.tif 000005
【図４】
0003101659.tif 000006